(57)【要約】【課題】本発明は、異なる照明要求に適用される光源支持装置及び該光源支持装置を用いるランプを提供することを目的とする。【解決手段】本発明に係る光源支持装置は、光源固定板及び前記光源固定板の上面の正方形区域の周辺から上に向って延在する複数の連結片を備える光源固定素子と、対向して設置される上面及び下面を有する正方形の底板及び前記底板の上面の周辺から上に向って延在する複数の側板を備える連結素子と、を備えてなる。前記連結素子の上面が前記光源固定板の上面に対面する状態で、前記連結素子の同じ側板が前記光源固定素子の異なる連結片に連結するか、又は前記連結素子の下面が前記光源固定板の上面に対面する状態で、前記連結素子の同じ側板が前記光源固定素子の異なる連結片に連結することによって、前記連結素子と前記光源固定素子とは異なる連結形態を有する。【選択図】図３
2011096652.tif 000002
【特許請求の範囲】
【請求項１】
光源固定板及び前記光源固定板の上面の正方形区域の周辺から上に向って延在する複数の連結片を備える光源固定素子と、
対向して設置される上面及び下面を有する正方形の底板及び前記底板の上面の周辺から上に向って延在する複数の側板を備える連結素子と、
を備えてなる光源支持装置であって、
前記連結素子の上面が前記光源固定板の上面に対面する状態で、前記連結素子の同じ前記側板が前記光源固定素子の異なる前記連結片に連結するか、又は前記連結素子の下面が前記光源固定板の上面に対面する状態で、前記連結素子の同じ前記側板が前記光源固定素子の異なる前記連結片に連結することによって、前記連結素子と前記光源固定素子とは、異なる連結形態を有することを特徴とする光源支持装置。
【請求項２】
前記連結片は、平行に設置されている２つの第一連結片及び平行に設置されている２つの第二連結片を備え、
前記第一連結片それぞれの前記光源固定板から離れている一端部には、前記光源固定素子を前記連結素子に連結するために用いられる第一連結孔が設けられ、前記第一連結片それぞれの前記光源固定板に近い他端部には、第一弓状孔が設けられ、
前記第二連結片それぞれから離れている一端部には、前記光源固定素子を前記連結素子に連結するために用いられる第二連結孔が設けられ、前記第二連結片それぞれの前記光源固定板に近い他端部には、矩形の第一係合槽が設けられていることを特徴とする請求項１に記載の光源支持装置。
【請求項３】
前記側板は、平行に設置されている２つの第一側板及び平行に設置されている２つの第二側板を備え、
前記第一側板それぞれには、２つの第三連結孔が設けられ、２つの前記第三連結孔は、前記第一側板の高さ方向に沿って配列され、
前記第一側板それぞれの頂端には、鉤部が設けられていることを特徴とする請求項２に記載の光源支持装置。
【請求項４】
前記連結素子の前記底板は、２つの前記第一連結片及び２つの前記第二連結片が囲んで形成する正方形区域に位置し、且つ前記底板の下面は前記光源固定板の上面に対面し、２つの前記第一側板は、それぞれ２つの前記第二連結片に平行し、前記底板に近い前記第三連結孔と前記第二連結片の前記第二連結孔との位置が合わさることを特徴とする請求項３に記載の光源支持装置。
【請求項５】
前記連結素子の前記底板は、２つの前記第一連結片及び２つの前記第二連結片が囲んで形成する正方形区域に位置し、且つ前記底板の下面は前記光源固定板の上面に対面し、２つの前記第一側板は、それぞれ２つの前記第一連結片に平行し、前記底板に近い前記第三連結孔と前記第一連結片の前記第一連結孔との位置が合わさることを特徴とする請求項３に記載の光源支持装置。
【請求項６】
前記連結素子の２つの前記第一側板が、それぞれ２つの前記第二連結片に平行し、且つ前記底板から離れている前記第三連結孔と前記第二連結片の前記第二連結孔との位置が合わさるように、２つの前記第一側板が２つの前記第二連結片の間に挿入されて、前記底板の上面は前記光源固定板の上面に対面し、且つ２つの前記鉤部は、それぞれ２つの前記第一係合槽内に係合されることを特徴とする請求項３に記載の光源支持装置。
【請求項７】
前記連結素子の２つの前記第一側板が、それぞれ２つの前記第一連結片に平行し、且つ前記底板から離れている前記第三連結孔と前記第一連結片の前記第一連結孔との位置が合わさるように、２つの前記第一側板が２つの前記第一連結片の間に挿入されて、前記底板の上面は前記光源固定板の上面に対面することを特徴とする請求項３に記載の光源支持装置。
【請求項８】
前記光源固定板は、光源を固定するために用いられる複数の光源固定孔及び前記光源の数量を拡張するために用いられる複数の拡張固定片を備えることを特徴とする請求項１に記載の光源支持装置。
【請求項９】
前記底板の中央部には、貫通孔が設けられ、
前記第一側板それぞれには、２つの弓状のスライド孔が設けられ、
前記第二側板それぞれの頂端には、弓状の凹部が設けられ、前記弓状の凹部の端面には、複数の歯部が形成されていることを特徴とする請求項１に記載の光源支持装置。
【請求項１０】
請求項１〜９のいずれか一項に記載の当該光源支持装置と、
前記光源固定素子の片側に設置される電源供給部と、
前記光源固定素子に固定されて前記電源供給部に電気接続される複数の光源と、
を備えることを特徴とするランプ。
【請求項１１】
前記ランプは、支持片をさらに備え、
前記支持片は、前記光源固定素子と係合して連結する係合部と、前記係合部と一体に接続され、且つ前記電源供給部を収容し且つ支持する支持部と、を備えることを特徴とする請求項１０に記載のランプ。
【請求項１２】
前記係合部の末端は鉤状に湾曲され、
前記光源固定素子の側部には、前記係合部を係合するための第二係合槽が形成されることを特徴とする請求項１１に記載のランプ。
【請求項１３】
前記ランプは、それぞれ前記光源支持装置の両側に接続されている２つの拡張光源をさらに備え、
前記拡張光源それぞれには、前記光源固定素子の拡張固定片に対応する２つの光源固定片を備え、
前記拡張光源は、前記光源固定片と前記拡張固定片とが接続されることによって前記光源支持装置に固定されることを特徴とする請求項１１に記載のランプ。
【発明の詳細な説明】
【技術分野】
【０００１】
本発明は、光源支持装置に関し、特に異なる照明要件に適用される光源支持装置及び該光源支持装置を用いるランプに関するものである。
【背景技術】
【０００２】
従来のランプは、光源及び前記光源を固定する光源支持装置を備える。光源が異なる場合に光源を装着する際、異なる光源支持装置を必要とするため、複数の異なる光源支持装置を準備しなければならない。これによって、ランプのコストが上がる。
【発明の概要】
【発明が解決しようとする課題】
【０００３】
以上の問題点に鑑みて、本発明は、異なる照明要件に適用される光源支持装置及び該光源支持装置を用いるランプを提供することを目的とする。
【課題を解決するための手段】
【０００４】
前記問題を解決するために、本発明に係る光源支持装置は、光源固定板及び前記光源固定板の上面の正方形区域の周辺から上に向って延在する複数の連結片を備える光源固定素子と、対向して設置される上面及び下面を有する正方形の底板及び前記底板の上面の周辺から上に向って延在する複数の側板を備える連結素子と、を備えてなる。前記連結素子の上面が前記光源固定板の上面に対面する状態で、前記連結素子の同じ側板が前記光源固定素子の異なる連結片に連結するか、又は前記連結素子の下面が前記光源固定板の上面に対面する状態で、前記連結素子の同じ側板が前記光源固定素子の異なる連結片に連結することによって、前記連結素子と前記光源固定素子とは異なる連結形態を有する。
【０００５】
前記問題を解決するために、本発明に係るランプは、光源支持装置と、前記光源固定素子に固定されている複数の光源と、前記光源固定素子の側部に設置されている電源供給部と、を備える。
【発明の効果】
【０００６】
光源固定素子が正方形区域の周辺に沿って配列されている複数の連結片を備え、且つ連結素子が正方形底板の四辺に位置する複数の側板を備えることによって、前記光源固定素子と前記連結素子とが複数の異なる連結形態を形成することができる。従って、本発明に係る光源支持装置及び該光源支持装置を用いるランプは、配光要件が異なる場合に適用される。
【図面の簡単な説明】
【０００７】
【図１】本発明に係る光源支持装置の固定素子の斜視図である。
【図２】本発明に係る光源支持装置の連結素子の斜視図である。
【図３】本発明に係る光源支持装置の第一連結形態を示す図である。
【図４】本発明に係る光源支持装置の第二連結形態を示す図である。
【図５】本発明に係る光源支持装置の第三連結形態を示す図である。
【図６】本発明に係る光源支持装置の第四連結形態を示す図である。
【図７】本発明に係る光源支持装置を用いたランプの斜視図である。
【発明を実施するための形態】
【０００８】
以下、図面に基づいて、本発明について詳細に説明する。  
【０００９】
図１乃至図３を参照すると、本発明に係る光源支持装置１０は、光源固定素子１１及び連結素子１２を備える。
【００１０】
前記光源固定素子１１は、略矩形である光源固定板１１１及び前記光源固定板１１１の上面から上に向って垂直に延在する複数の連結片１１２を備える。
【００１１】
前記光源固定板１１１は、光源を固定するために用いられる複数の光源固定孔１１１ａ及び光源の数量を拡張するために用いられる複数の拡張固定片１１１ｂを備える。
【００１２】
前記連結片１２は、平行に設置されている２つの第一連結片１１２１及び平行に設置されている２つの第二連結片１１２２を備える。２つの前記第一連結片１１２１及び２つの前記第二連結片１１２２は、それぞれ前記光源固定板１１１の上面の１つの正方形区域の周辺に沿って配列されている。各第一連結片１１２１の前記光源固定板１１１から離れている一端部には、前記光源固定素子１１を前記連結素子１２に連結するために用いられる第一連結孔１１２１ａが設けられており、各第一連結片１１２１の前記光源固定板１１１に近い他端部には、第一弓状孔１１２１ｂが設けられている。各第二連結片１１２２の前記光源固定板１１１から離れている一端部には、前記光源固定素子１１を前記連結素子１２に連結するために用いられる第二連結孔１１２２ａが設けられており、各第二連結片１１２２の前記光源固定板１１１に近い他端部には、矩形の第一係合槽１１２２ｂが設けられている。
【００１３】
前記連結素子１２は、対向して設置される上面及び下面を有する正方形の底板１２１及び前記底板１２１の上面の周辺から上に向って垂直に延在する複数の側板１２２を備える。
【００１４】
前記底板１２１の中央部には、貫通孔１２１１が設けられている。複数の前記側板１２２の数量は４つであり、平行に設置されている２つの第一側板１２２１及び平行に設置されている２つの第二側板１２２２を備える。２つの前記第一側板１２２１及び２つの前記第二側板１２２２は、それぞれ前記底板１２１の四辺に位置する。各第一側板１２２１には、それぞれ２つの第三連結孔１２２１ａ及び２つの弓状のスライド孔１２２１ｂが設けられている。２つの前記第三連結孔１２２１ａは、前記第一側板１２２１の高さ方向に沿って配列されている。各第一側板１２２１の頂端には、鉤部１２２１ｃが設けられている。
【００１５】
各第二側板１２２２の頂端には、弓状の凹部１２２２ａが設けられ、前記弓状の凹部１２２２ａの端面には、複数の歯部１２２２ｂが形成されている。
【００１６】
本実施形態において、２つの前記第一連結片１１２１及び２つの前記第二連結片１１２２が囲んで形成する正方形区域の辺の長さは、前記連結素子１２の底板１２１の辺の長さよりわずかに大きいので、前記連結素子１２の底板１２１は、２つの前記第一連結片１１２１及び２つの前記第二連結片１１２２が囲んで形成する正方形区域に設置されることができる。
【００１７】
図３乃至図６は、前記光源固定素子１１と前記連結素子１２との複数の連結形態を示す図である。
【００１８】
図３において、前記連結素子１２の底板１２１は、２つの前記第一連結片１１２１及び２つの前記第二連結片１１２２が囲んで形成する正方形区域に位置し、且つ前記底板１２１の下面は前記光源固定板１１１の上面に対面し、２つの前記第一側板１２２１はそれぞれ２つの前記第二連結片１１２２に平行し、前記底板１２１に近い前記第三連結孔１２２１ａと前記第二連結片１１２２の第二連結孔１１２２ａとの位置が合わさる（即ち、前記第三連結孔１２２１ａの中心軸と前記第二連結孔１１２２ａの中心軸とが重ねられる）。前記第二連結孔１１２２ａ及び前記第三連結孔１２２１ａを順次に貫いたボルト１３ａにナットを螺合することによって、前記光源固定素子１１と前記連結素子１２とが連結される。
【００１９】
図４において、前記連結素子１２の底板１２１は、２つの前記第一連結片１１２１及び２つの前記第二連結片１１２２が囲んで形成する正方形区域に位置し、且つ前記底板１２１の下面は前記光源固定板１１１の上面に対面し、２つの前記第一側板１２２１はそれぞれ２つの前記第一連結片１１２１に平行し、前記底板１２１に近い前記第三連結孔１２２１ａと前記第一連結片１１２１の第一連結孔１１２１ａとの位置が合わさる。前記第一連結孔１１２１ａ及び前記第三連結孔１２２１ａを順次に貫いたボルト１３ｂにナットを螺合することによって、前記光源固定素子１１と前記連結素子１２とが連結される。
【００２０】
図５において、前記連結素子１２の２つの第一側板１２２１が、それぞれ２つの前記第二連結片１１２２に平行し、且つ前記底板１２１から離れている前記第三連結孔１２２１ａと前記第二連結片１１２２の第二連結孔１１２２ａとの位置が合わさるように、２つの前記第一側板１２２１が２つの前記第二連結片１１２２の間に挿入されて、前記底板１２１の上面は前記光源固定板１１１の上面に対面し、２つの前記鉤部１２２１ｃは、それぞれ２つの前記第一係合槽１１２２ｂに係合して前記光源固定素子１１と前記連結素子１２との連結の安定性を向上させる。前記第二連結孔１１２２ａ及び前記第三連結孔１２２１ａを順次に貫いたボルト１３ｃにナットを螺合することによって、前記光源固定素子１１と前記連結素子１２とが連結される。前記光源固定素子１１と前記連結素子１２との間の連結角度は、前記光源固定素子１１に対して前記連結素子１２を回転させることによって調節される。従って、異なる照明の場合の配光要件を満足させる。
【００２１】
図６において、前記連結素子１２の２つの第一側板１２２１が、それぞれ２つの前記第一連結片１１２１に平行し、且つ前記底板１２１から離れている前記第三連結孔１２２１ａと前記第一連結片１１２１の第一連結孔１１２１ａとの位置が合わさるように、２つの前記第一側板１２２１が２つの前記第一連結片１１２１の間に挿入されて、前記底板１２１の上面は前記光源固定板１１１の上面に対面する。前記第一連結孔１１２１ａ及び前記第三連結孔１２２１ａを順次に貫いたボルト１３ｄにナットを螺合することによって、前記光源固定素子１１と前記連結素子１２とが連結される。前記光源固定素子１１と前記連結素子１２との間の連結角度は、前記光源固定素子１１に対して前記連結素子１２を回転させることによって調節される。従って、異なる照明の場合の配光要件を満足させる。
【００２２】
図７は、本発明に係る光源支持装置１０を用いたランプ１００の斜視図である。
【００２３】
図７を参照すると、前記ランプ１００は、光源支持装置１０と、前記光源固定素子１１に固定されている複数の光源２０と、前記光源固定素子１１の片側に設置されている電源供給部３０と、を備える。複数の前記光源２０は、それぞれ前記電源供給部３０に電気接続されている。前記電源供給部３０は、前記光源固定素子１１に係合される支持片４０によって前記光源固定素子１１の片側に固定される。
【００２４】
前記支持片４０は、係合部４１及び前記係合部４１に一体に接続されている支持部４２を備える。前記係合部４１の末端は鉤状に湾曲されている。前記光源固定素子１１の側部には、前記係合部４１を係合するための第二係合槽１１１ｃが形成されている。前記支持部４２は、「コ」字状に湾曲されており、その中空部には前記電源供給部が収容され且つ支持される。
【００２５】
本実施形態において、前記ランプ１００は、それぞれ前記光源支持装置１０の両側に接続されている２つの拡張光源５０をさらに備える。各拡張光源５０には、前記光源固定素子１１の拡張固定片１１１ｂに対応する２つの光源固定片５１を備える。前記拡張光源５０は、前記光源固定片５１と前記拡張固定片１１１ｂとが接続されることによって前記光源支持装置１０に固定される。
【００２６】
前記光源固定素子１１が、正方形区域の周辺に沿って配列されている複数の連結片１１２１、１１２２を備え、且つ前記連結素子１２が正方形底板１２１の四辺に位置する複数の側板１２２１、１２２２を備えることによって、前記光源固定素子と前記連結素子１２とが複数の異なる連結形態を形成することができる。従って、本発明に係る光源支持装置１０及び該光源支持装置１０を用いるランプ１００は、配光要件が異なる場合に適用される。
【００２７】
以上、本発明の好適な実施例について詳細に説明したが、本発明は前記実施例に限定されるものではなく、本発明の範囲内で種々の変形又は修正が可能であり、該変形又は修正も又、本発明の特許請求の範囲内に含まれるものであることは、いうまでもない。
【符号の説明】
【００２８】
１００  ランプ
１０  光源支持装置
１１  光源固定素子
１１１  光源固定板
１１１ａ  光源固定孔
１１１ｂ  拡張固定片
１１１ｃ  第二係合槽
１１２  連結片
１１２１  第一連結片
１１２１ａ  第一連結孔
１１２１ｂ  第一弓状孔
１１２２  第二連結片
１１２２ａ  第二連結孔
１１２２ｂ  第一係合槽
１２  連結素子
１２１  底板
１２１１  貫通孔
１２２  側板
１２２１  第一側板
１２２１ａ  第三連結孔
１２２１ｂ  スライド孔
１２２１ｃ  鉤部
１２２２  第二側板
１２２２ａ  凹部
１２２２ｂ  歯部
１３ａ、１３ｂ、１３ｃ、１３ｄ  ボルト
２０  光源
３０  電源供給部
４０  支持片
４１  係合部
４２  支持部
５０  拡張光源
５１  光源固定片
【図１】
2011096652.tif 000003
【図２】
2011096652.tif 000004
【図３】
2011096652.tif 000005
【図４】
2011096652.tif 000006
【図５】
2011096652.tif 000007
【図６】
2011096652.tif 000008
【図７】
2011096652.tif 000009